(57)【要約】  締め具型製品を調整するための多機能プライヤ型器具に関する新規の解決方法により表される、テンショナ及び動力計付き剪断器であって、このプライヤは取り付け、張力付加、及び切断／仕上げ機能を有しており、より良い人間工学的条件を得るため、金属製締め具(2)に張力を付加する新規装置が発明された。同装置は金属製締め具(2)の一部(2b)用の、牽引ピン(E)が設けられた運搬部材が取り付けられた軸(C)を有する。運搬部材は、解剖学的回転自在ハンドル(D)が取り付けられた、ねじ状の長軸(CI)に沿って摺動する。さらに、前記金属製締め具の前記一部を切断するための新規装置も請求されている。前記装置は、レバー、具体的には第１レバー(B)と第２レバー(A)のそれぞれの一端部、具体的には第１レバー(B)の接触突起(B6)が形成された箇所、第２レバー(A)のスロット(A3)が形成された箇所にそれぞれ設けられた一対の切断刃(b7)及び(a7)を有する。剪断器は更に、新たに導入された、金属製締め具が骨組織に付与する張力を表示する新規装置(F)(G)を有する。これは患者が骨粗しょう症を患っている場合に特に有用となる。最後に、必須である安全用防止装置(H)も導入されている。安全用防止装置(H)は金属製締め具(2)の余剰部を切断するための装置の駆動を防止するよう作用する。【選択図】図１５
2013531543.tif 000002
【特許請求の範囲】
【請求項１】
テンショナ及び動力計付き剪断器であって、多機能プライヤが本体（１）を構成し、上端部に、構造壁を有し、第２レバー（Ｂ）が取り付けられる半円部（Ａ２）を有する第１レバー（Ａ）であって、半円部（Ａ２）は締め具（２）の一部（２８）が取り付けられるスリット（Ａ３）と、内部に半円部（Ａ２）の端となる位置合わせ壁（Ａ４）を有し、スリット（Ａ３）は刃（Ａ５）を有する、第１レバー（Ａ）と、軸体（Ｃ）が平滑孔（８３）を介して収容される筐体（８２）を有する本体（Ｂ１）と、
半円状部材（Ａ２）を収容する円形基部（Ｂ５）を支持する押し出し直線状部材（Ｂ１）の上端部に画定されたヘッド（Ｂ４）と、ヘッド（８４）の上端部に形成され、テンショニングハンドル（Ｄ）が軸体（Ｃ）の下端部に設けられるよう、金属製締め具（２）の一部（２ｂ）が取り付けられるスリットを画定する中央部を有する接触突起（Ｂ６）と、を有する第２レバー（８）であって、金属製締め具（２）に張力を付加する装置が、第２レバー（８）の筐体（８２）内に配置され、自由端が、第１レバー（Ｂ）の内端に形成された平滑孔（Ｂ３）を通過し、本体（Ｂ１）の上端部に形成された平滑孔（Ｂ３）内に位置するねじ状の長手軸（Ｃ１）からなる軸（Ｃ）を有することを特徴とする第２レバーと（８）、
軸（Ｃ１）に沿って設けられた、金属製締め具（２）の一部（２ｂ）用の、牽引ピン（Ｅ）が設けられた運搬部であって、螺子形状の貫通孔（Ｅ２）を有し、上外面にフック（Ｃ３）が形成された、軸体（Ｃ）の螺子形状の長手軸（Ｃ１）に隣接した単板ブロック（Ｅ１）と、軸体（Ｃ）の自由端に設けられた解剖学的回転自在ハンドル（Ｄ）を有する運搬部と、
一対の切断刃（ｂ７）及び（ａ７）からなる金属製締め具の一部用切断装置であって、一対の切断刃（ｂ７）及び（ａ７）はそれぞれ、第１レバー（Ｂ）及び第２レバー（Ａ）の端、主に第１レバー（８）の接触突起（Ｂ６）が設けられた箇所及び第２レバー（Ａ）のスリット（Ａ３）が設けられた箇所に形成されている、切断装置と、
第２レバー（８）の下端に配置され、細長いスリット及び張力目盛を片側に有し、その結果、テンショニングハンドル（Ｄ）に画定された内周部が軸（Ｅ）により通過され、第２レバー（Ｂ）の内端に形成された下部筐体（Ｆ３）に配置された圧縮バネ（Ｆ２）の下端に記された表示点（Ｆ４）が当該スリットの領域内に形成された表示部（Ｆ１）を有する張力表示部と、
軸［Ｃ］からネジ山が出ていない部分であって、第２レバー［Ｂ］内の空洞内に嵌め込まれた第１支持部［ｈ１］を通過し、端部がロック基部［ｈ２］の後部に接続された軸［ｃ３］の基部を形成する、軸の平滑部［ｃ２］と、第２レバー［Ｂ］の空洞部に嵌め込まれた第２支持部［ｈ３］を通過し、ロック基部［ｈ２］の前部に対し垂直に設けられたブロッキングピン［ｈ４］と、ブロッキングピン［ｈ４］の本体全体が通過する伸縮ばね［ｈ５］と、同じく第１レバー［Ａ］の半円状部（ａ２）の領域内に形成された経路［ａ６］と、を有する安全用防止装置［Ｈ］と、を有する。
【請求項２】
テンショニングハンドル（Ｄ）は解剖学的形状を有しており、第１レバー（Ａ）及び第２レバー（Ｂ）の本体（Ａ１）及び（Ｂ１）はそれぞれ解剖学的デザイン（Ａ７）及び（Ｂ７）を有する、請求項１に記載のテンショナ及び動力計付き剪断器。
【請求項３】
第２実施形態において、張力表示部［Ｇ］は、表面に張力目盛（Ｇ２）を有し、ハンドル（Ｄ）の本体により画定され、軸（Ｅ）が通過する内周部と、第２レバー（８）の平滑孔（ｂ３）の近傍を通過する外周部を有する筒状の表示部（Ｇ１）から成り、前記筒用に筐体（Ｇ３）が設計され、本体の一部が圧縮ネジ（Ｇ４）の本体に、内周が軸（Ｃ）に通過され、レバー（Ｂ）の後端の後部筐体（ｂ８）内に形成されるよう配置される部分が設けられる、請求項１に記載のテンショナ及び動力計付き剪断器。
【請求項４】
機能条件において、非ねじ状部［ｃ２］、ロック［ｈ２］及びブロッキングピン［ｈ４］が事前に位置決めされた上で、ブロッキングピン［ｈ４］の本体が経路［ａ６］内に配意されることを特徴とする、請求項１に係るテンショナ及び動力計付き剪断器。
【請求項５】
安全用防止装置［Ｈ］の機能条件において、伸縮ばね［ｈ５］は圧縮されることを特徴とする、請求項４に記載のテンショナ及び動力計付き剪断器。
【請求項６】
機能条件において、張力表示部［Ｇ］において、第２レバー（Ｂ）の平滑孔（ｂ３）の隣の前記張力目盛（Ｇ２）により張力が表示されることを特徴とする、請求項３に記載のテンショナ及び動力計付き剪断器。                                                                         
【発明の詳細な説明】
【技術分野】
【０００１】
本明細書に記載、請求された本発明は、部分、物体、製品の２部位以上を締結する金属製締め具の取り付けのための補助器具における新たな解決方法に係わる。締め具は特に、選択的医療行為において、侵襲性外科的介入が行われる度、または突発的あるいは偶発的な骨折が起きた際に分裂した骨組織の接合を促進するため取り付けられ、患部の適切且つ積極的な回復を保障するものである。補助器具はまた、そのような骨折部の固定を補助し得るプレートや連結棒の固定にも用いられる。
【発明の概要】
【０００２】
〔発明の開示〕
外科用製品、特に侵襲性手術用製品の製造・販売を確立した結果、本発明者は金属製締め具の迅速な操作・固定を保証しうる装置を外科チームに提供する必要性に気づいた。金属製締め具は特に、例えば心臓外科手術の際に必要となる、胸骨の断裂等の、侵襲性外科的介入の対象となった骨組織の少なくとも２端の接合強化を補助するものである。さらに、外科チームが特発性または外傷性骨折を処置する情況にもこのような必要性が生じる。
【０００３】
外科手術的観点
外科手術専門の医療分野の当業者は、侵襲性手術、特に長時間にわたる手術の際、その元となる要因の一つである感染率の低下と、適切な強化の達成のため、骨折に係る部位の固定が不可欠であると主張している。
【０００４】
術後の観点
さらに術者の知識に基づき、本発明者は外科的介入を受けた患者の術後の全身状態の回復を更に促進する必要があると新たに認識した。手術、主に心臓手術後間もない患者の経過観察・回復の改良についていくつか考慮される点はあるが、本発明者は本発明の主要な目的としてそのような回復の最適化を確立した。以下にそのパラダイムを挙げる。
【０００５】
１．技術的観点
外科処置完了の際に骨組織から切り離された２部位の接合及び瘢痕化の促進を目的として、金属製締め具の取り付けの品質を向上する必要がある。
【０００６】
またその流れで考えると、外科医及び助手は可能な限り安全な状態で当該締め具を単独または複数（胸骨が閉じている場合）取り付けるべきである。つまり、締め具自体が切断され、取り付けられる際に締め具取り付け器具がぶつかるといった思いがけない事故を予想、防止するべきである。
【０００７】
２．患者の健康の観点
病院で患者の経過観察を行った際の骨瘢痕化の進行についての綿密な治験から、数多くの患者が、手術上必要となる「胸骨」の切開が行われた胸部に激しい痛みを感じて、苦痛の程度は明白であった。
【０００８】
術後の患者が感じる激しい苦痛は本発明の概念を要する研究に関連する。言い換えれば、心臓手術を受けた患者は、かなりの頻度で無意識に咳をするようになるが、それは常に許容限界を越えた痛みとなる。
【０００９】
〔発明の要件〕
本発明の要件及びパラダイムに基づき、本発明者は新規の「テンショナ及び動力計付き剪断器」を発明した。テンショナ及び動力計付き剪断器は、従来技術で公知のその他解決方法から明白、または明確に導かれたものではないため、新規性及び発明性を有する。前記装置は、侵襲性外科的介入が「胸骨切開」により完了する場合に、骨折の生じた解剖学的組織が接合される際、または骨折部を固定する金属プレートが取り付けられる際に、外科用鉄製締め具が効率よく、安全に利用されることを保証する。前記器具は更に、ブラジル産業財産法第９．２７９号の特許規則第８条及び１３条に定められた、主に特許としての特許可能要件を満たすため、産業上の利用可能性がある。
【００１０】
〔背景技術〕
導入部の記載を裏付けるため、侵襲性外科医療分野で通常利用される技術、装置、器具を簡潔に説明する。これにより本発明の主題を専門とする当業者は、本発明者の技術的動機からそれらの限定要素を認識でき、外科用鉄製締め具の取り付けに用いられるテンショナ及び動力計付き剪断器により得られる効果を提供できる。
【００１１】
侵襲性外科技術
心臓手術をパラダイムとすると、それは侵襲技術であり、「胸骨」として知られる骨の切開が必要なため、患者からすると外傷回復に苦痛が伴う。
【００１２】
第一に、侵襲性手術は特殊な器具を使用する必要がある。そのような器具（外科用メス、ハサミ、鉗子、分離機、締め具、鋸）は、侵襲性介入を行うためのものであるため、組織の切断・分離に適していなければならない。  また、逆の処置、すなわち外科的介入により傷ついた組織を修復する処置の際、医療チームは針、持針器、縫合糸、及び／又はリボン、締め具を始めとした人体組織に再吸収される、またはされない用具を使用する。
【００１３】
手術のための人間工学
手術中、時間が常に管理され、関連パラメータである場合、医療チームは切迫した情況で作業せざるを得ない。そのような情況のため、外科医療分野において利用される特殊な用具が発展した。同用具は、任意の医療行為（胸骨切開）、または突発的または特発的に起きた骨折を治す処置に特化したものであり、最終的にそれに影響された組織の再配置も理解される。
【００１４】
さらに、心臓手術の分野においては、侵襲はかなり激しいものとなるため、公知の骨組織、例えば「胸骨」を閉じる際、特殊な手術のための人間工学が必要となることは触れられるべきであろう。この人間工学は医療チームが容易に「胸骨」を肋骨間の空間に接合する方法と解されるべきである。通常そのような接合には、主に高耐性組織適合合金からなる特殊締め具及びワイヤーが使用される。
【００１５】
締め具を取り付けるための器具
１．従来のプライヤ
上記の締め具を取り付けるため、医療チームは多くの器具を使用するが、主に切断用プライヤを使用する。切断用プライヤはペンチやトングの一種とも言うべきもので、特定の物体を保持、把持、または切断するのに適している。切断用プライヤは構造概念として、レバー（鉄または鋼鉄製）として知られる、互いに交差しており、互いに接続された部位における軸周りに回転する２部品からなる。その端部は平滑、鋸歯状、平坦、曲線状、円柱状、または橋状であってよいし、その他形状でも良い。
【００１６】
これら従来のプライヤを批判的に分析すると、外科処置に利用される場合、いくつか限定事項が浮かび上がる。主に使用の人間工学が限定されることが挙げられる。これは把持機能が動的なものでないことによる。締め具は骨組織の接合領域に固定されるが、そのため接合領域に必要とされる張力が得られないことは明白である。そのため、患者の術後回復において顕著となる悪影響を及ぼす間隙が生じてしまう。このような手術後の処置において極めて一般的に起きることだが、「咳」をすると、主にこの隙間によって胸部膨張が引き起こされる。
【００１７】
上記のように、侵襲性処置は複雑且つ速やかな作業であるため、外科医療分野の当業者は皆、侵襲性手術の安定化を妨げる従来のプライヤの使用は非実践的且つ不適切と認識している。
【００１８】
また、大きすぎる間隙の形成に見られる、締め具の取り付けにおける精度不足は明らかに、従来のプライヤが締め具組の利用に際して医療チームに要求されたレベルの精度及び作業速度をもたらさないことによる。
【００１９】
最後に、前記プライヤはその金属製締め具切断機能が抑制される限定要素を有する。締め具の固定部の端に求められる張力を保つために医者や助手が人間工学の及ばない動作や作業をせざるを得ないため、操作が困難となり、最終的に当該締め具のハンドルの余剰部の切断のために時間が延びてしまうのである。
【００２０】
２．多機能外科用プライヤ
近年、多機能外科用プライヤと呼ばれる金属製締め具取り付け用の新規器具により進歩がもたらされた。多機能外科用プライヤは、前記項目にて触れられた、侵襲性手術の安定化における限定的要素をなくするものである。すなわち、締め具固定のための取り付け、張力付加、切断、仕上げ機能が一つの製品にまとめられる。
【００２１】
多機能外科用プライヤは構成概念として、以下のものを有する。
【００２２】
・上端に、金属製締め具の余剰部を収容するように設計されたヘッドが設けられた第１レバー
・牽引ピンに係る軸用の筐体が設けられた第２レバー
・金属製締め具の余剰部の端部を固定する機能を持つ牽引ピン
・牽引ピンの直線的移動を保証する牽引ピンが固定され、前記第２レバーに設けられた専用の前記筐体に設けられた軸
・自身の中心軸周りの回転を起こし、軸及び牽引ピン組立体の移動を保証するハンドル
また、以下の４工程が多機能プライヤに設けられた機能的概念として実施される。
【００２３】
金属製締め具余剰端が、同製品のために特別設計されたヘッドに近くなるよう調整され、当該調整後には当該端が牽引ピンに嵌合する、金属製締め具を位置決めする第１工程
牽引ピンが前記特別なヘッドから離間するに従い、機械的締め具が、分離されていた２体部位の結合要素として働くよう、締め具に張力が付加される、締め具に張力を付加する第２工程
操作者が一対のレバーが互いに向うように圧力をかけることで、切断機能が働き、締め具本体から非使用部分を切り離す、締め具を切断する第３工程
金属製締め具の端部を、ヘッドの突起を介在させることで結合し、その結果高品質・高信頼度の結合を達成する、端部を仕上げる第４工程
多機能外科用プライヤに対する批判的分析
仕上げられる金属製締め具の位置決め、張力付加、折りたたみ、切断、仕上げ機能は得られたものの、限定的要素が認められ、それは以下のような問題点となる。特に、金属製締め具の取り付け、仕上げに長い時間がかかるという問題が生じる。張力を付加する工程における多機能外科用プライヤの十分な操作性を得ることに関して制限があることで時間が延びるのである。これは金属製締め具の一部を折り曲げ、その余剰部を切断する必要があるためであり、このような限定的な条件は確実に解決されなければならない。
【００２４】
問題点及びその原因の確認
１．牽引ピンの構造的配置による、張力付加動作において多機能プライヤは操作困難である。牽引ピンは軸の本体に固定されており、それにより、理論的には調整筒の回転により軸を回動し、第２レバーの外側に位置するようにする。
【００２５】
このような情況は、当業者にとって困難となる。これは軸が第２レバーの外側に配置されると、プライヤは長くなってしまい、人間工学に基づく後続の動作である切断箇所の折りたたみが不能となるためである。これは、外科介入の修復箇所は非常に傷つきやすいためである。
【００２６】
２．取り付け済みの金属製締め具における余剰部の分離が困難である。これは外科的介入完了に関して時間が重要なパラメータであることによる。締め具表面に対して切刃を垂直にして締め具を切断する場合、切断に強い力が必要となり、効率が悪いことから、時間が延びてしまうことは明らかである。
【００２７】
またこの情況では、唐突な動きが生じ、それにより固定したばかりの組織が移動してしまい、処置の効能が損なわれてしまう可能性がある。
【００２８】
上記のような悪条件は、外科的介入により傷つきやすくなった部位では更に顕著である。そのような部位はどんなささいな不注意な行為によっても傷つく可能性があり、その場合、手術全体として問題が生じてしまう。
【００２９】
従って、寛解の観点から、プライヤの交互運動による折り曲げ工程が必要であるため、侵襲性外科的介入の仕上げ処置の向上に必要な時間が伸びてしまっていることは明白である。
【００３０】
３．多機能プライヤのレバー操作が困難である。片手の絞り動作が解剖学的条件に沿わないことは、部分的には、レバーが最終的に単純なプラスチック製の設計からなることによるものである。このことで従来の多機能プライヤの安定した制御が更に困難となっている。
【００３１】
４．専用の表示部がないため、締め具に付与される張力が不明である。このため骨粗しょう症を患う患者に締め具を取り付けることは、張力が強すぎると骨折の可能性があるため、非常に繊細な作業となる。
【００３２】
〔発明の提案〕
発明の背景の項で取り上げた事情に鑑み、本発明者は患部である骨組織の接合を促進するため、侵襲性外科的介入完了の際に金属製締め具の取り付けに供される新規の器具を発明した。その新規事項により、従来の多機能プライヤに見られた問題点が解決される。
【００３３】
発明の背景の項で引用され、明らかとなった多機能プライヤに関して、本発明者は以下のような新規事項を導入した。
【００３４】
１．締め具張力付加装置
プライヤ自体の本体が長くなりすぎないようにする。本新装置の機能論理は以下の通りである。軸は第２レバーに形成された空洞部内で回転自在であり、空洞部内に確実に留まる。直線移動は牽引ピンが設けられた運搬部にのみ成される。運搬部は無端ねじ状であり、軸の回転に合わせて、軸の全長にわたり移動する。それにより金属製締め具の一部を回動する。
【００３５】
２．金属製締め具の一部用切断装置
一対の切断刃が挿入される。切断刃はそれぞれ、レバーの切断ヘッドが形成された端に設けられ、切断刃は互いに傾斜している。従って、前記刃を閉じるという単純な動作により、楽に金属部分が切断されることが保証される。そのため、金属製締め具自体に関して、前記部分を後に分離するための折りたたみ動作が不要となる。
【００３６】
３．付与張力表示部つき動力計
ハンドルの下の第２レバー内に挿入され、軸が通過する一組の圧縮バネが設けられる。軸の移動に対する抵抗により、締め具から骨組織に付与される張力が第２レバー内に収められた圧縮ばねを覆う円筒部の目盛で器械出しナースに示される。これは、例えば患者が骨粗しょう症をわずらっている場合に有効である。
【００３７】
４．安全用防止装置
動力計が「張力限界」を示す場合に金属製締め具の一部が誤って切断されることを防ぐ機能を持つ。それにより軸が空洞部から急速に放出されることが防止される。従って、切断が行われる際、プライヤは患者の胸部の近傍にあるが、プライヤ担当者及び患者のいずれに係る事故も防げるのである。
【００３８】
特に、前記安全装置は以下の事柄により必須である。すなわち、多機能剪断器により取り付けられた金属製締め具に張力を付与すると、軸が張力付与状態になる。前記張力は圧縮力として、金属製締め具の理想的な圧縮点が得られた場合に圧縮された状態に留まる圧縮バネに送られる。
【００３９】
上記状態は「リバウンド効果」と呼ばれる好まざる効果をもたらす。事実を挙げて説明され実践されているように、金属製締め具の余剰部が切断機により切断される場合、切断直後には、牽引ピンの設けられた運搬部の移動により得られた効果的な張力付与状態ではなくなる。従って圧縮バネを圧縮することで蓄積された張力全てが急激に放出される。そのため、牽引ピンが設けられた運搬部材と関連付けられた軸が急速に後退し、その結果、その収納部分であるレバーの空洞部内から、不適切に放出され、器械出しナースはおろか患者に当たってしまい、安全条件として致命的な情況が引き起こされてしまう。
【００４０】
この問題を解決するため、本発明者は、切断機が駆動される際の障害の作成に基づく動作論理を有する安全ロックを発明した。それにより、切断機はリバウンド効果が起きない安全な状態にのみ動作するようになる。すなわち、締め具の一部は、動力計に貯まったエネルギーが牽引ピンの設けられた運搬部を戻すためハンドルを回転させることで消散した場合にのみ切断される。これは所要の張力が得られ次第金属製締め具がロックされた後に行われる。
【００４１】
５．レバーの解剖学的構造
金属製締め具の一部に張力を付与するための新規装置の、牽引ピンが設けられた運搬部を移動するための回転運動を促進するために、また金属製締め具の一部を切断するための新規装置を駆動する際に一対のレバーの絞りを促進するため、前記レバーは「解剖学的形状」を有する。
【図面の簡単な説明】
【００４２】
本発明の特徴がよりよく理解できるよう、本明細書の補足として、複数の図面が添付される。同図面により、例示的かつ非限定的に示された、本分野の主要な多機能プライヤ、新規の締め具の張力付与用装置、切断装置、締め具により付与された張力の表示部、及びレバーの解剖学的形状を示す前記多機能プライヤの改良された実施形態の第一形態、別構造の動力計及び締め具の余剰部の切断が早すぎないようにする新規の安全装置を有する前記多機能プライヤの第２形態、が開示される。
【図１ａ】図１ａは２骨領域及び外科的介入の際に２部位を接合するために、新規のテンショナ及び動力計付き剪断器が使用される具体的情況を示す模式図である。
【図１ｂ】図１ｂは従来技術に係る多機能プライヤの斜視図である。
【図２】図２は新規のテンショナ及び動力計付き剪断器の斜視図であり、テンショナ及び切断機はいずれも本明細書で請求されている。
【図２ａ】図２ａは新規のテンショナ及び動力計付き剪断器を形成する第１レバーの立面図であり、テンショナ及び切断機はいずれも本明細書で請求されている。
【図２ｂ】図２ｂは新規のテンショナ及び動力計付き剪断器を形成する第１レバーの側面図であり、テンショナ及び切断機はいずれも本明細書で請求されている。
【図３ａ】図３ａは新規のテンショナ及び動力計付き剪断器を形成する第１レバーのＸＸ線垂直断面図であり、テンショナ及び切断機はいずれも本明細書で請求されている。
【図３ｂ】図３ｂは新規のテンショナ及び動力計付き剪断器を形成する第１レバーのＹＹ線垂直断面図であり、テンショナ及び切断機はいずれも本明細書で請求されている。
【図３ｃ】図３ｃは新規のテンショナ及び動力計付き剪断器を形成する第１レバーのＺＺ線垂直断面図であり、テンショナ及び切断機はいずれも本明細書で請求されている。
【図４ａ】図４ａは新規のテンショナ及び動力計付き剪断器を形成する第２レバーの立面図であり、テンショナ及び切断機はいずれも本明細書で請求されている。
【図４ｂ】図４ｂは新規のテンショナ及び動力計付き剪断器を形成する第２レバーの側面図であり、テンショナ及び切断機はいずれも本明細書で請求されている。
【図５ａ】図５ａは新規のテンショナ及び動力計付き剪断器を形成する軸の側面図であり、テンショナ及び切断機はいずれも本明細書で請求されている。
【図５ｂ】図５ｂは新規のテンショナ及び動力計付き剪断器を形成する牽引ピンが設けられた運搬部の正面図であり、テンショナ及び切断機はいずれも本明細書で請求されている。
【図６ａ】図６ａは新規のテンショナ及び動力計付き剪断器を形成する軸の側面図であり、テンショナ及び切断機はいずれも本明細書で請求されている。
【図６ｂ】図６ｂは新規のテンショナ及び動力計付き剪断器を形成する軸の正面図であり、テンショナ及び切断機はいずれも本明細書で請求されている。
【図７ａ】図７ａは新規のテンショナ及び動力計付き剪断器により取り付けられる締め具の開状態の斜視図であり、テンショナ及び切断機はいずれも本明細書で請求されている。
【図７ｂ】図７ｂは新規のテンショナ及び動力計付き剪断器により取り付けられる締め具の閉状態の斜視図であり、テンショナ及び切断機はいずれも本明細書で請求されている。
【図８ａ】図８ａは第１レバーに形成された切断ヘッドの近傍に金属製締め具の余剰部を配置し、その端部を牽引ピンが設けられた運搬部に嵌め込む工程を示す図である。
【図８ｂ】図８ｂは金属製締め具の余剰部に張力を付与する工程を示す図である。
【図９ａ】図９ａは金属製締め具の余剰部を切断する工程を示す図であって、同部分が切り離された直後の状態を示す。
【図９ｂ】図９ｂは金属製締め具の余剰部を切断する工程を示す図であって、同部分が切り離された直後で、テンショナが本明細書にて請求された、新規のテンショナ及び動力計付き剪断器を最終的に締め具が取り付けられた領域から、除去する状態を示す。
【図１０ａ】図１０ａは金属製締め具の余剰部を切断する装置を詳細に示す図であって、同部分が切り離された直後の状態を示す。
【図１０ｂ】図１０ｂは金属製締め具の余剰部を切断する装置を詳細に示す図であって、同部分が切り離された直後で、テンショナが本明細書にて請求された、新規のテンショナ及び動力計付き剪断器を最終的に締め具が取り付けられた領域から、除去する状態を示す。
【図１１】図１１は新規のテンショナ及び動力計付き剪断器の斜視図であり、張力表示部の第１実施形態を示す。
【図１２】図１２は新規のテンショナ及び動力計付き剪断器の側面図であり、動力計の第１実施形態を示す。
【図１３】図１３は新規のテンショナ及び動力計付き剪断器の上面図であり、張力表示部の第１実施形態を示す。
【図１４】図１４は張力表示部の第１実施形態を詳細に示す拡大図であり、その構成及び機能的概念を示す。
【図１５】図１５は新規のテンショナ及び動力計付き剪断器の斜視図であり、張力表示部の第２実施形態を示す。
【図１６】図１６は新規のテンショナ及び動力計付き剪断器の側面図であり、張力表示部の第２実施形態を示す。
【図１７ａ】図１７ａは張力表示部の第２実施形態を詳細に示す拡大図であり、その機能概念を主に金属製締め具を圧縮するための張力がかかってない状態で示す。
【図１７ｂ】図１７ｂは張力表示部の第２実施形態を詳細に示す拡大図であり、その機能概念を主に金属製締め具を圧縮するための張力がかかっている状態で示す。
【図１８】図１８は装置動力計の第２実施形態を詳細に示す拡大図であり、その構成要素、及び機能論理を示す。
【図１９】図１９は新規のテンショナ及び動力計付き剪断器の側面図であり、安全用防止装置の実施形態を金属製締め具の張力付加直前の状態で示す。
【図２０】図２０は安全用規制装置の第１実施形態を詳細に示す拡大図であり、金属製締め具の張力付与直前のその一部、及び機能論理を示す。
【図２１】図２１は新規のテンショナ及び動力計付き剪断器の側面図であり、安全用防止装置の実施形態を金属製締め具の張力付加中の状態で示す。
【図２２】図２２は安全用規制装置の第１実施形態を詳細に示す拡大図であり、その構成要素、及び機能論理を金属製締め具の張力付加中の状態で示す。
【発明を実施するための形態】
【００４３】
以下の詳細な説明は、ここに示された図面を参照に読まれ、解釈されるべきである。図面は全てあくまで図式的なものであって、本発明の好適な実施形態を表わすものである。従って、発明の範囲を限定するものではない。発明の範囲は特許請求の範囲に開示の内容によってのみ限定される。
【００４４】
〔適用分野〕
本発明者は、本発明の適用分野の理解を高めるため、図１に２骨組織及び具体的な情況を図示するべきであると考える。新規のテンショナ及び動力計付き剪断器は外科的介入において２つの部位を接合する作業に関して大きな効果をもたらす。
【００４５】
〔多機能プライヤの技術的背景〕
本発明者は、本発明特有の特徴の理解を高めるため、多機能プライヤ（ＥＴ）の原型の実施形態を示す必要があると考える。
【００４６】
概して図１ｂ、２に示されるように多機能プライヤ（ＥＴ）は以下のものを備える。
【００４７】
・第１レバー（Ａ）：図４ａ及び４ｂに示すように、第１レバー（Ａ）は、本体（Ａ１）を有し、他部と比較して四角の断面形状を有してよく、切断力を加える際に支持する機能を持つ。本体（Ａ１）の上端は、構造壁を有する半円部（Ａ２）となっており、主に回転軸を形成するために第２レバー（ｂ）を固定するために用いられる。また、半円部（Ａ２）はスリット（Ａ３）を有している。スリット（Ａ３）は、締め具（２）の圧縮部位（２Ｂ）を取り付けるために利用される。同部位は図７ａと７ｂに詳細に図示されている。また、半円部（Ａ２）の端部となる位置合わせ壁（Ａ４）が設けられている。位置合わせ壁（Ａ４）は主に締め具（２）の圧縮部（２Ｂ）の位置合わせに用いられる。
【００４８】
また、半円部（Ａ２）には、より詳細にはスリット（Ａ３）には、歯型肩部（Ａ５）が設けられている。歯型肩部（Ａ５）は圧縮部（２ｂ）の切断を容易にする機能を有する。
【００４９】
・第２レバー（Ｂ）：図２ａおよび２ｂに示され、図３ａ、３ｂ、３ｃに詳細に示されるように、第２レバー（Ｂ）は第１レバー（）同様本体（Ｂ１）を有するが、軸（Ｃ）の組み立て、構築に利用される筐体（８２）が内部にもうけられており、構造は若干複雑なものとなっている。筐体（８２）の下端部に、軸（Ｃ）の回転に利用される平滑孔（８３）が設けられている。押出直線部（Ｂ１）の上端部を補強するため、ヘッド（８４）と呼ばれる部位が形成される。ヘッド（８４）は半円状とみなすことができ、円形基部（Ｂ５）に支持される。円形基部（Ｂ５）は、第１レバー（）の半円部（Ａ２）の組立品を収容する機能を有する。
【００５０】
ヘッド（８４）の上端部には、中心部にはスリットが設けられた接触突起（Ｂ６）が形成されている。スリットは、第１レバー（Ａ）の半円部（Ａ２）のスリット（Ａ３）とともに、金属製締め具（２）の圧縮部（２ｂ）を取り付けるのに用いられる。
【００５１】
スリット（Ａ３）の内部右側には、歯型肩部（Ｂ７）が形成される。歯型肩部（Ｂ７）は、第１レバー（Ａ）の半円部（Ａ２）に設けられたスリット（Ａ３）の内部とともに、金属製締め具（２）の圧縮部位（２ｂ）を切断しやすくする機能を持つ。
【００５２】
・軸（ｃ）：図１に示すように軸（ｃ）は全体としてねじ状であり、嵌合用肩部が上端に形成された軸（Ｃ１）からなる。嵌合用肩部は締め具（２）における、後に圧縮される部位（２ｂ）に張力を与えるのに適した嵌合を提供するのに用いられる。
【００５３】
・テンショニングハンドル（Ｄ）：図１に示すようにテンショニングハンドル（Ｄ）は軸（Ｃ）の下端に設けられている。
【００５４】
〔本発明の特徴〕
１．金属製締め具の張力付加用の新規の装置の詳細な説明
新規の装置は、図６Ａおよび６ｂに示される軸（Ｃ）を有する。軸は図８ａ、８ｂ、９ａ、９ｂに示すように、第２レバー（８）内に形成された筐体（８２）内に設けられた軸（Ｃ１）からなる。軸（Ｃ１）の自由端は、当該軸（Ｃ１）が上記の平滑孔（８３）内を回転自在なように、第１レバー（８）内に形成された平滑孔（Ｂ３）を通過し、本体（８１）の上端部に形成された開口部（Ｂ３）内に収容される。
【００５５】
また、図５ａ，５ｂに示すように、金属製締め具（２）の一部（２ｂ）用の牽引ピン（Ｅ）が設けられた運搬部が軸に沿って設けられている。運搬部は、軸（Ｃ）の軸（Ｃ１）が取り付けられ摺動を起こす、ねじ状貫通孔（Ｅ２）を有する単板ブロック（Ｅ１）と、同じく上外面に形成された、金属製締め具（２）の一部（２ｂ）の自由端に嵌合するフック（Ｃ３）を有する。
【００５６】
最後に、図６ａ、６ｂに示すように、回転自在ハンドル（Ｄ）が軸（Ｃ）の自由端に取り付けられている。ハンドル（Ｄ）は従来のものと異なり、解剖学的形状を有し、金属製締め具（２）の一部（２ｂ）に張力がかけられる際、器械出しナースにプライヤの理想的な「把持」状態を保証する。
【００５７】
また、図８ａ及び８ｂに示すように、金属製締め具に張力を付加する新規装置の機能概念は以下の動作条件により、よりよく理解される。図８ａに示すように牽引ピン（Ｅ）が設けられた運搬部には、既に第１レバー（８）の接触突起（Ｂ６）に確実に嵌合し、フック（Ｃ３）に確実に取り付けられた金属製締め具（２）の一部（２ｂ）が取り付けられているため、器械出しナースは、ハンドル（Ｄ）の回転動作に移る。それにより、軸（Ｃ１）は自由回転し、牽引ピン（Ｅ）が設けられた運搬部を下方に向けて移動する。従って、図８ｂに示すように、この動作において、軸（Ｃ）が常に第１レバー（８）の筐体（Ｂ２）内に留まる。従って、この情況では、締め具（２）の本体（２ａ）を調整しやすくする。
【００５８】
２．金属製締め具の一部を切断するための新規装置の詳細な説明
図２ａ、２ｂ、３ａ、４ａ、４ｂに示すように、一対の切断刃（ｂ７）（ａ７）が挿入される。一対の切断刃（ｂ７）（ａ７）は第１レバー（８）及び第２レバー（Ａ）のそれぞれの一端、主に第１レバー（８）の接触突起（Ｂ６）、第２レバー（Ａ）のスリット（Ａ３）が形成された箇所、に設けられる。切断刃（ｂ７）（ａ７）はそれぞれ、外筒の刃に対し傾斜して配置される内筒内に収容される。従って締め具の表面には、任意のハサミの場合のように、垂直的ではなく、暫時的に切断圧力がかかる。
【００５９】
また、金属製締め具の一部を切断するため新規装置は、図９ａ及び９ｂに示される以下の情況で理解されうる。器械出しナースが第１レバー（Ｂ）及び第２レバー（Ａ）を把持し、本体（Ｂ１）および（Ａ１）を介して２レバーに圧縮力を付与することで２レバーを閉じ、第１レバー（Ｂ）の接触突起（Ｂ６）及びスリット（Ａ３）に隣接した締め具（２）の一部（２ｂ）の箇所まで狭める。切断刃（ｂ７）（ａ７）の動作を介した最終的な圧縮によって切断面が傾斜位置に来た際に、狭窄箇所は剪断される。これにより、本体（２ａ）からこの部位（２ｂ）を分離させる（図１０ａ、１０ｂ参照）。
【００６０】
３．可動部の新たな解剖学的形状
金属性締め具の一部に張力を与える新規装置の、牽引ピン（Ｅ）が設けられた運搬部を移動させるための、回転を促すため、テンショニングハンドル（Ｄ）は新たな解剖学的形状を有している。同形状は、器械出しナースが金属製締め具（２）の一部（２ｂ）に張力を与える情況における最適なプライヤの「把持」状態を保証する。
【００６１】
また、レバー（Ａ）（Ｂ）を圧縮しやすくするために、金属製締め具（２）の一部を切断する新規装置が作動された場合、レバーの本体（Ａ１）（Ｂ１）はそれぞれ解剖学的形状（Ａ７）（Ｂ７）を有する。
【００６２】
４．動力計の詳細な説明
４ａ．第１実施形態
図１１、１２，１３，１４に示すように、張力表示部（Ｆ）は第２レバー（８）の下端に位置し、片側に細長いスリットと張力目盛を有する表示部（Ｆ１）と、前記スリットの隣に設けられ、第２レバー（８）の内端に形成された下部筐体（Ｆ３）に取り付けられた圧縮バネ（Ｆ２）の下端に記された表示点（Ｆ４）からなる。下部筐体（Ｆ３）の内周は軸（Ｃ）が通過し、テンショニングハンドル（Ｄ）により画定されている。
【００６３】
また、機能概念は以下の事象からよりよく理解される。器械出しナースがテンショニングハンドル（Ｄ）を回転すると、金属製締め具（２）に張力を付与する装置が、軸（Ｃ）全体がハンドル（Ｄ）とともに推進されるように駆動される。それにより圧縮バネ（Ｆ２）が圧縮され、表示点（Ｆ４）が、側部目盛により張力支持点が並ぶ、バネによる抵抗を示す表示部（Ｆ１）に沿って移動する。従って、締め具（２）が修復対象の骨組織に対して付与する圧縮張力の正確な値が器械出しナースに示される。
【００６４】
４ｂ．第２実施形態
図１５、１６、１７ａ、１７ｂ、１８に示すように張力表示部（Ｇ）は、張力目盛を表面に有する、円柱管形状の表示部（Ｇ１）という部分からなる。表示部（Ｇ１）は表面に張力目盛（Ｇ２）有しており、その内周部は軸（Ｃ）が通過し、ハンドル（Ｄ）の本体により画定される。表示部（Ｇ１）の外周も第２レバー（Ｂ）の平滑孔（ｂ３）に隣接しつつ通過する。
【００６５】
表示部（Ｇ１）はさらに筐体（Ｇ３）を有する。筐体（Ｇ３）は、軸（Ｃ）がその内周を通過し、レバー（Ｂ）の後端に形成された後部筐体（ｂ８）内の圧縮バネ（Ｇ４）の本体の一部を収容する機能を有する。
【００６６】
先述同様に、この概念的機能は以下の事象によりよく理解される。器械出しナースがテンショニングハンドル（Ｄ）を回転すると、軸（ｃ）全体がハンドル（Ｄ）とともに、第２レバー（Ｂ）の本体（ｂ１）の筐体（ｂ２）の前に向かって回動するように、金属製締め具（２）に張力を付加する装置が駆動される。それにより、圧縮バネ（Ｇ４）が圧縮される。当該ばねの一端は表示部（Ｇ１）の筐体（Ｇ３）の底部で押さえられ、他端はレバー（Ｂ）の後部筐体（ｂ８）の底部で押さえられている。さらに、表示部（Ｇ１）の筒状の本体は移動して第２レバー（Ｂ）の平滑孔（ｂ３）を通過する。当該開口部は、表示部（Ｇ１）の張力目盛（Ｇ２）を並べて、張力を表示する第２の機能を有する。それによって、締め具（２）が修復される骨組織に対して付与する張力の正確な値が器械出しナースに示される。
【００６７】
６．安全用防止装置［Ｈ］
図１９、２０、２１、２２に示されるように、構造概念は、第２レバー［Ｂ］の空洞部に勘合した第一支持部［ｈ１］を通過する非ねじ状軸［ｃ２］の平滑部、軸［ｃ２］の平滑部の端部に形成されたロック基部［ｈ２］の後部に接続された軸［ｃ３］の基部、ロック基部［ｈ２］に対し垂直に取り付けられ、第２レバー［Ｂ］の空洞部に嵌め込まれた第２支持部［ｈ３］の開口部を通過するブロッキングピン［ｈ４］、の導入に基づく。
【００６８】
そして最後に、締め具［２］に張力がかけられた状態で、張力ブロッキングピン［ｈ４］を内蔵する機能を有する経路［ａ６］が第１レバー本体、具体的には半円状部（Ａ２）の部分に形成されている。
【００６９】
一方、図２０及び２２をそれぞれ参照することで安全用防止装置の機能論理はよりよく理解できる。まず、締め具［２］に張力を付与する直前には、図１９に示すよう、張力表示部の圧縮ばね［ｇ４］には一切張力かかっていないことがわかる。
【００７０】
器械出しナースがハンドル［Ｄ］を回転させ始めた直後に軸［ｃ１］が、牽引ピン［Ｅ］が設けられたキャリッジを第２レバー［Ｂ］の筐体［ｂ２］内で直線的に、具体的にはハンドル［Ｄ］に向かって移動するように駆動する。一方で、同時に軸［ｃ１］自体は、個別に筐体の前部に向かって移動する。この移動の結果として、軸の平滑部［ｃ２］が移動し、それによって軸［ｃ３］の基部がロック［ｈ２］の基部を押し、その結果第１レバー［Ａ］内に設けられた経路［ａ６］の内部に向かってブロッキングピン［ｈ４］が移動される。それにより、図２２に明示されるように、伸縮ばね［５］が圧縮される。
【００７１】
ブロッキングピン［ｈ４］が、第１レバー［Ａ］内に設けられた経路［ａ６］に介在することで、確実に器械出しナースにより切断装置が不適切に作動されることを防ぐ。具体的には、レバー［ａ］［Ｂ］が閉じられることが防止される。
【００７２】
本発明「侵襲性外科介入が完了し、それに影響された身体組織の固定が必要な場合に、金属製締め具を取り付けるためのテンショナ及び動力計付き剪断器」の詳述部分に記載された実施形態は単に例示的に与えられている。添付の請求の範囲において排他的に定義された、本特許出願に開示された目的を逸脱しない範囲で、当業者により、その他具体的な実施形態という形で変更、変形、及び修正をすることが可能である。
【００７３】
説明、図示の内容から、本明細書で請求されたテンショナ及び動力計付き剪断器は、産業財産権法の観点から、特許を規制する規範に即するものであり、開示の内容およびその結果から得られる特権に値するものである。                                                                          
【図１ａ】
2013531543.tif 000003
【図１ｂ】
2013531543.tif 000004
【図２ａ】
2013531543.tif 000005
【図２ｂ】
2013531543.tif 000006
【図３ａ】
2013531543.tif 000007
【図３ｂ】
2013531543.tif 000008
【図３ｃ】
2013531543.tif 000009
【図４】
2013531543.tif 000010
【図４ａ】
2013531543.tif 000011
【図４ｂ】
2013531543.tif 000012
【図５ａ】
2013531543.tif 000013
【図５ｂ】
2013531543.tif 000014
【図６ａ】
2013531543.tif 000015
【図６ｂ】
2013531543.tif 000016
【図７ａ】
2013531543.tif 000017
【図７ｂ】
2013531543.tif 000018
【図８ａ】
2013531543.tif 000019
【図８ｂ】
2013531543.tif 000020
【図９ａ】
2013531543.tif 000021
【図９ｂ】
2013531543.tif 000022
【図１０ａ】
2013531543.tif 000023
【図１０ｂ】
2013531543.tif 000024
【図１１】
2013531543.tif 000025
【図１２】
2013531543.tif 000026
【図１３−１４】
2013531543.tif 000027
【図１５】
2013531543.tif 000028
【図１６】
2013531543.tif 000029
【図１７ａ】
2013531543.tif 000030
【図１７ｂ】
2013531543.tif 000031
【図１８】
2013531543.tif 000032
【図１９】
2013531543.tif 000033
【図２０】
2013531543.tif 000034
【図２１】
2013531543.tif 000035
【図２２】
2013531543.tif 000036
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
テンショナ及び動力計付き剪断器であって、多機能プライヤが本体（１）を構成し、上端部に、構造壁を有し、第２レバー（Ｂ）が取り付けられる半円部（Ａ２）を有する第１レバー（Ａ）であって、半円部（Ａ２）は締め具（２）の一部（２Ｂ）が取り付けられるスリット（Ａ３）と、内部に半円部（Ａ２）の端となる位置合わせ壁（Ａ４）を有し、スリット（Ａ３）は刃（Ａ５）を有する、第１レバー（Ａ）と、軸体（Ｃ）が平滑孔（Ｂ３）を介して収容される筐体（Ｂ２）を有する本体（Ｂ１）と、
半円状部材（Ａ２）を収容する円形基部（Ｂ５）を支持する押し出し直線状部材（Ｂ１）の上端部に画定されたヘッド（Ｂ４）と、ヘッド（Ｂ４）の上端部に形成され、テンショニングハンドル（Ｄ）が軸体（Ｃ）の下端部に設けられるよう、金属製締め具（２）の一部（２ｂ）が取り付けられるスリットを画定する中央部を有する接触突起（Ｂ６）と、を有する第２レバー（Ｂ）であって、金属製締め具（２）に張力を付加する装置が、第２レバー（Ｂ）の筐体（Ｂ２）内に配置され、自由端が、第１レバー（Ｂ）の内端に形成された平滑孔（Ｂ３）を通過し、本体（Ｂ１）の上端部に形成された平滑孔（Ｂ３）内に位置するねじ状の長手軸（Ｃ１）からなる軸（Ｃ）を有することを特徴とする第２レバーと（Ｂ）、
軸（Ｃ１）に沿って設けられた、金属製締め具（２）の一部（２ｂ）用の、牽引ピン（Ｅ）が設けられた運搬部であって、螺子形状の貫通孔（Ｅ２）を有し、上外面にフック（Ｃ３）が形成された、軸体（Ｃ）の螺子形状の長手軸（Ｃ１）に隣接した単板ブロック（Ｅ１）と、軸体（Ｃ）の自由端に設けられた解剖学的回転自在ハンドル（Ｄ）を有する運搬部と、
一対の切断刃（ｂ７）及び（ａ７）からなる金属製締め具の一部用切断装置であって、一対の切断刃（ｂ７）及び（ａ７）はそれぞれ、第１レバー（Ｂ）及び第２レバー（Ａ）の端、主に第１レバー（Ｂ）の接触突起（Ｂ６）が設けられた箇所及び第２レバー（Ａ）のスリット（Ａ３）が設けられた箇所に形成されている、切断装置と、
第２レバー（Ｂ）の下端に配置され、細長いスリット及び張力目盛を片側に有し、その結果、テンショニングハンドル（Ｄ）に画定された内周部が軸（Ｅ）により通過され、第２レバー（Ｂ）の内端に形成された下部筐体（Ｆ３）に配置された圧縮バネ（Ｆ２）の下端に記された表示点（Ｆ４）が当該スリットの領域内に形成された表示部（Ｆ１）を有する張力表示部と、
軸［Ｃ］からネジ山が出ていない部分であって、第２レバー［Ｂ］内の空洞内に嵌め込まれた第１支持部［ｈ１］を通過し、端部がロック基部［ｈ２］の後部に接続された軸［ｃ３］の基部を形成する、軸の平滑部［ｃ２］と、第２レバー［Ｂ］の空洞部に嵌め込まれた第２支持部［ｈ３］を通過し、ロック基部［ｈ２］の前部に対し垂直に設けられたブロッキングピン［ｈ４］と、ブロッキングピン［ｈ４］の本体全体が通過する伸縮ばね［ｈ５］と、同じく第１レバー［Ａ］の半円状部（ａ２）の領域内に形成された経路［ａ６］と、を有する安全用防止装置［Ｈ］と、を有する。
【請求項２】
テンショニングハンドル（Ｄ）は解剖学的形状を有しており、第１レバー（Ａ）及び第２レバー（Ｂ）の本体（Ａ１）及び（Ｂ１）はそれぞれ解剖学的デザイン（Ａ７）及び（Ｂ７）を有する、請求項１に記載のテンショナ及び動力計付き剪断器。
【請求項３】
第２実施形態において、張力表示部［Ｇ］は、表面に張力目盛（Ｇ２）を有し、ハンドル（Ｄ）の本体により画定され、軸（Ｅ）が通過する内周部と、第２レバー（Ｂ）の平滑孔（ｂ３）の近傍を通過する外周部を有する筒状の表示部（Ｇ１）から成り、前記筒用に筐体（Ｇ３）が設計され、本体の一部が圧縮ネジ（Ｇ４）の本体に、内周が軸（Ｃ）に通過され、レバー（Ｂ）の後端の後部筐体（ｂ８）内に形成されるよう配置される部分が設けられる、請求項１に記載のテンショナ及び動力計付き剪断器。
【請求項４】
機能条件において、非ねじ状部［ｃ２］、ロック［ｈ２］及びブロッキングピン［ｈ４］が事前に位置決めされた上で、ブロッキングピン［ｈ４］の本体が経路［ａ６］内に配意されることを特徴とする、請求項１に係るテンショナ及び動力計付き剪断器。
【請求項５】
安全用防止装置［Ｈ］の機能条件において、伸縮ばね［ｈ５］は圧縮されることを特徴とする、請求項４に記載のテンショナ及び動力計付き剪断器。
【請求項６】
機能条件において、張力表示部［Ｇ］において、第２レバー（Ｂ）の平滑孔（ｂ３）の隣の前記張力目盛（Ｇ２）により張力が表示されることを特徴とする、請求項３に記載のテンショナ及び動力計付き剪断器。
【手続補正２】
【補正対象書類名】明細書
【補正対象項目名】００４９
【補正方法】変更
【補正の内容】
【００４９】
・第２レバー（Ｂ）：図２ａおよび２ｂに示され、図３ａ、３ｂ、３ｃに詳細に示されるように、第２レバー（Ｂ）は第１レバー（）同様本体（Ｂ１）を有するが、軸（Ｃ）の組み立て、構築に利用される筐体（Ｂ２）が内部にもうけられており、構造は若干複雑なものとなっている。筐体（Ｂ２）の下端部に、軸（Ｃ）の回転に利用される平滑孔（Ｂ３）が設けられている。押出直線部（Ｂ１）の上端部を補強するため、ヘッド（Ｂ４）と呼ばれる部位が形成される。ヘッド（Ｂ４）は半円状とみなすことができ、円形基部（Ｂ５）に支持される。円形基部（Ｂ５）は、第１レバー（）の半円部（Ａ２）の組立品を収容する機能を有する。
【手続補正３】
【補正対象書類名】明細書
【補正対象項目名】００５０
【補正方法】変更
【補正の内容】
【００５０】
ヘッド（Ｂ４）の上端部には、中心部にはスリットが設けられた接触突起（Ｂ６）が形成されている。スリットは、第１レバー（Ａ）の半円部（Ａ２）のスリット（Ａ３）とともに、金属製締め具（２）の圧縮部（２ｂ）を取り付けるのに用いられる。
【手続補正４】
【補正対象書類名】明細書
【補正対象項目名】００５４
【補正方法】変更
【補正の内容】
【００５４】
〔本発明の特徴〕
１．金属製締め具の張力付加用の新規の装置の詳細な説明
新規の装置は、図６Ａおよび６ｂに示される軸（Ｃ）を有する。軸は図８ａ、８ｂ、９ａ、９ｂに示すように、第２レバー（Ｂ）内に形成された筐体（Ｂ２）内に設けられた軸（Ｃ１）からなる。軸（Ｃ１）の自由端は、当該軸（Ｃ１）が上記の平滑孔（Ｂ３）内を回転自在なように、第１レバー（Ｂ）内に形成された平滑孔（Ｂ３）を通過し、本体（Ｂ１）の上端部に形成された開口部（Ｂ３）内に収容される。
【手続補正５】
【補正対象書類名】明細書
【補正対象項目名】００５７
【補正方法】変更
【補正の内容】
【００５７】
また、図８ａ及び８ｂに示すように、金属製締め具に張力を付加する新規装置の機能概念は以下の動作条件により、よりよく理解される。図８ａに示すように牽引ピン（Ｅ）が設けられた運搬部には、既に第１レバー（Ｂ）の接触突起（Ｂ６）に確実に嵌合し、フック（Ｃ３）に確実に取り付けられた金属製締め具（２）の一部（２ｂ）が取り付けられているため、器械出しナースは、ハンドル（Ｄ）の回転動作に移る。それにより、軸（Ｃ１）は自由回転し、牽引ピン（Ｅ）が設けられた運搬部を下方に向けて移動する。従って、図８ｂに示すように、この動作において、軸（Ｃ）が常に第１レバー（Ｂ）の筐体（Ｂ２）内に留まる。従って、この情況では、締め具（２）の本体（２ａ）を調整しやすくする。
【手続補正６】
【補正対象書類名】明細書
【補正対象項目名】００５８
【補正方法】変更
【補正の内容】
【００５８】
２．金属製締め具の一部を切断するための新規装置の詳細な説明
図２ａ、２ｂ、３ａ、４ａ、４ｂに示すように、一対の切断刃（ｂ７）（ａ７）が挿入される。一対の切断刃（ｂ７）（ａ７）は第１レバー（Ｂ）及び第２レバー（Ａ）のそれぞれの一端、主に第１レバー（Ｂ）の接触突起（Ｂ６）、第２レバー（Ａ）のスリット（Ａ３）が形成された箇所、に設けられる。切断刃（ｂ７）（ａ７）はそれぞれ、外筒の刃に対し傾斜して配置される内筒内に収容される。従って締め具の表面には、任意のハサミの場合のように、垂直的ではなく、暫時的に切断圧力がかかる。
【手続補正７】
【補正対象書類名】明細書
【補正対象項目名】００６２
【補正方法】変更
【補正の内容】
【００６２】
４．動力計の詳細な説明
４ａ．第１実施形態
図１１、１２，１３，１４に示すように、張力表示部（Ｆ）は第２レバー（Ｂ）の下端に位置し、片側に細長いスリットと張力目盛を有する表示部（Ｆ１）と、前記スリットの隣に設けられ、第２レバー（Ｂ）の内端に形成された下部筐体（Ｆ３）に取り付けられた圧縮バネ（Ｆ２）の下端に記された表示点（Ｆ４）からなる。下部筐体（Ｆ３）の内周は軸（Ｃ）が通過し、テンショニングハンドル（Ｄ）により画定されている。
【手続補正８】
【補正対象書類名】図面
【補正対象項目名】図４
【補正方法】削除
【補正の内容】
【手続補正９】
【補正対象書類名】図面
【補正対象項目名】図２
【補正方法】追加
【補正の内容】
【図２】
2013531543.tif 000037
【国際調査報告】
2013531543.tif 000038
2013531543.tif 000039
2013531543.tif 000040
2013531543.tif 000041